(57)【要約】【課題】リュック本体を使用者の腹側で保持する前持ちを容易に行うことができるリュックサックを提供する。【解決手段】  リュックサック１は、荷物を収容するリュック本体１０と、リュック本体１０に設けられた左右一対の肩ベルト２０Ａ，２０Ｂと、リュック本体１０の上部に設けられ、使用者１００の頸部１０１の後側に掛けられる首ベルト３０とを備えている。首ベルト３０は、使用者１００の頸部１０１の後側との当接部位とリュック本体１０との間の距離を調節可能に構成されている。【選択図】図４
2020124465.tif 000002
【特許請求の範囲】
【請求項１】
荷物を収容するリュック本体と、
前記リュック本体に設けられた左右一対の肩ベルトと、
前記リュック本体の上部に設けられ、使用者の頸部の後側に掛けられる首ベルトと
を備え、
前記首ベルトは、前記頸部の後側との当接部位と前記リュック本体との間の距離を調節可能に構成されている、
リュックサック。
【請求項２】
前記首ベルトは、前記当接部位にクッション部を有する、
請求項１に記載のリュックサック。
【請求項３】
前記首ベルトは、前記頸部の右側から前方へ延びた前記首ベルトの右側部分と、前記頸部の左側から前方へ延びた前記首ベルトの左側部分とが、前記頸部の幅以上の距離を隔てた状態で、前記リュック本体に取り付けられている、
請求項１又は２に記載のリュックサック。
【請求項４】
前記リュック本体は、前記首ベルトの前記右側部分及び前記左側部分を収容可能に構成されている、
請求項１乃至３の何れかに記載のリュックサック。
【請求項５】
前記首ベルトの前記右側部分及び前記左側部分は、前記リュック本体の内部の収容空間を介して前記リュック本体の外部に延出されており、
前記首ベルトは、前記右側部分及び前記左側部分の延出部分が操作されることによって、前記頸部の後側との当接部位と前記リュック本体との間の距離を調節可能に構成されている、
請求項４に記載のリュックサック。
【請求項６】
前記リュック本体の前記使用者と接する側の面には、前記延出部分を収納可能な溝部が設けられている、
請求項５に記載のリュックサック。
【請求項７】
前記首ベルトの右側部分及び左側部分の巻き取り及び送り出しが可能な巻き取り部をさらに備え、
前記首ベルトは、前記巻き取り部による前記巻き取り及び前記送り出しによって、前記頸部の後側との当接部位と前記リュック本体との間の距離を調節可能に構成されている、
請求項１乃至４の何れかに記載のリュックサック。
【発明の詳細な説明】
【技術分野】
【０００１】
本発明は、リュックサックに関し、特に使用者の腹側でも容易に保持することができるリュックサックに関する。
【背景技術】
【０００２】
リュックサックの使用者がリュックサックを背負った状態で電車などに乗っていると、他の乗客の迷惑になることがある。このような事態を回避すべく、公共の交通機関などにおいては、使用者の腹側（前側）でリュックサックを保持する行為（以下「前持ち」という）が広く行われている。
【０００３】
前持ちを容易に行うためのリュックサックとして、特許文献１には、荷物を収納するための袋部と、袋部がセットされる背板部と、袋部がセットされる側とは反対側で、背板部に接続された一対の背負いベルトと、袋部と背板部との間で、背板部と対面している姿勢を維持しつつ袋部を回動可能にしている回動手段とを有するリュックサックが開示されている。このリュックサックの場合、一方の背負いベルトを肩から外してから他方の背負いベルトを基点にしてリュックサック全体を前側へと回し込んだ後、外した背負いベルトを前側から肩に掛けるという動作を行うことによって、スムースに前持ちを実現することができる。このとき、袋部が上下逆転することになるが、回動手段を用いて袋部を回動させることによって元の状態に戻すことができるため、背負っているときと同じようにして袋部内の荷物を取り出すことができる。
【先行技術文献】
【特許文献】
【０００４】
【特許文献１】特開２０１８−１５７９３３号公報
【発明の概要】
【発明が解決しようとする課題】
【０００５】
ところで、背負いベルトは、使用者がリュックサックを背負った状態において袋部が適切な高さに位置するようにその長さが調整されるのが通常である。そのため、上記の従来のリュックサックのように背負いベルトを肩に掛けることによって前持ちを行う場合、袋部の高さが適当ではないことが多く、例えば袋部が適切な位置よりも高いところにあるために前方の視界が遮られるなどの問題が生じる。また、前持ち状態のときに袋部が適当な位置になるように背負いベルトの長さを調節することにすると、その後にリュックサックを背負うときに再度背負いベルトの長さ調節を行う必要が生じるなど、煩雑な手間が発生するという問題もある。
【０００６】
本発明は斯かる事情に鑑みてなされたものであり、その主たる目的は、上記課題を解決することができるリュックサックを提供することにある。
【課題を解決するための手段】
【０００７】
上述の課題を解決するために、本発明の一の態様のリュックサックは、荷物を収容するリュック本体と、前記リュック本体に設けられた左右一対の肩ベルトと、前記リュック本体の上部に設けられ、使用者の頸部の後側に掛けられる首ベルトとを備え、前記首ベルトは、前記頸部の後側との当接部位と前記リュック本体との間の距離を調節可能に構成されている。
【０００８】
この態様において、前記首ベルトは、前記当接部位にクッション部を有することが好ましい。
【０００９】
また、前記態様において、前記首ベルトは、前記頸部の右側から前方へ延びた前記首ベルトの右側部分と、前記頸部の左側から前方へ延びた前記首ベルトの左側部分とが、前記頸部の幅以上の距離を隔てた状態で、前記リュック本体に取り付けられていてもよい。
【００１０】
また、前記態様において、前記リュック本体は、前記首ベルトの前記右側部分及び前記左側部分を収容可能に構成されていてもよい。
【００１１】
また、前記態様において、前記首ベルトの前記右側部分及び前記左側部分は、前記リュック本体の内部の収容空間を介して前記リュック本体の外部に延出されており、前記首ベルトは、前記右側部分及び前記左側部分の延出部分が操作されることによって、前記頸部の後側との当接部位と前記リュック本体との間の距離を調節可能に構成されていてもよい。
【００１２】
また、前記態様において、前記リュック本体の前記使用者と接する側の面には、前記延出部分を収納可能な溝部が設けられていてもよい。
【００１３】
さらに、前記態様において、前記首ベルトの右側部分及び左側部分の巻き取り及び送り出しが可能な巻き取り部をさらに備え、前記首ベルトは、前記巻き取り部による前記巻き取り及び前記送り出しによって、前記頸部の後側との当接部位と前記リュック本体との間の距離を調節可能に構成されていてもよい。
【発明の効果】
【００１４】
本発明に係るリュックサックによれば、前持ち状態における上下方向の位置を容易に調節することが可能になる。
【図面の簡単な説明】
【００１５】
【図１】本発明の実施の形態に係るリュックサックの構成を示す正面図。
【図２】本発明の実施の形態に係るリュックサックの構成を示す背面図。
【図３】本発明の実施の形態に係るリュックサックの構成を示す右側面図。
【図４】使用者が前持ちをしている状態におけるリュックサックの構成を示す正面図。
【図５】使用者が前持ちをしている状態におけるリュックサックの構成を示す右側面図。
【図６】本発明の実施の形態に係るリュックサックの構成を示す正面図。
【図７】本発明のその他の実施の形態に係るリュックサックが備える首ベルトの構成を示す正面図。
【図８】本発明のその他の実施の形態に係るリュックサックの構成を示す正面図。
【発明を実施するための形態】
【００１６】
以下、本発明の好ましい実施の形態を、図面を参照しながら説明する。なお、以下に示す各実施の形態は、本発明の技術的思想を具体化するための方法及び装置を例示するものであって、本発明の技術的思想は下記のものに限定されるわけではない。本発明の技術的思想は、特許請求の範囲に記載された技術的範囲内において種々の変更を加えることができる。
【００１７】
以下では、使用者がリュックサックを背負った状態において、使用者の背中に接する面を「背面」、「背面」の反対側の面を「正面」という。また、左右、上下、前後の各方向は、リュックサックを背負った状態の使用者を基準にして定め、使用者の左手側を「左」、その右手側を「右」、その前方を「前」、その後方を「後」、その頭側を「上」、その足側を「下」という。
【００１８】
図１乃至図３は、本実施の形態に係るリュックサックの構成を示す正面図、背面図、右側面図である。図１乃至図３に示すように、リュックサック１は、荷物を収容するための荷物収容空間を有するリュック本体１０と、リュック本体１０に設けられた左右一対の肩ベルト２０Ａ，２０Ｂと、使用者によって前持ちが行われる場合にその使用者の頸部に取り付けられる首ベルト３０とを備えている。
【００１９】
リュック本体１０は、内部に所定の大きさの荷物収容空間を有しており、その荷物収容空間は、リュック本体１０の上端部に形成されている開口部と連通されている。この開口部にはファスナー１２が取り付けられている。ファスナー１２の開閉操作によって、リュック本体１０の荷物収容空間が開閉される。
【００２０】
また、リュック本体１０の正面側には、上記の荷物収容空間よりも小さいサイズの荷物収容空間を有する収容部１１が設けられている。この荷物収容空間は、収容部１１の上端部に形成されている開口部と連通されており、その開口部にはファスナー１３が取り付けられている。ファスナー１３の開閉操作によって、収容部１１の荷物収容空間が開閉される。
【００２１】
右肩用の肩ベルト２０Ａは、上部ベルト部２１と、下部ベルト部２２と、コキカン又はバックル等で構成される調節部材２３とを備えている。上部ベルト部２１の一端部はリュック本体１０の上端部の右側に取り付けられ、他端部は調節部材２３に固定されている。他方、下部ベルト部２２の一端部はリュック本体１０の下端部の右側に取り付けられ、他端部は調節部材２３に接続されている。なお、下部ベルト部２２の他端部は折り返した状態で調節部材２３に接続されており、下部ベルト部２２の緊緩によりその折り返し長さが変更される。これにより、肩ベルト２０Ａ全体の長さ調節を行うことが可能となる。
【００２２】
なお、左肩用の肩ベルト２０Ｂの構成は、上述した肩ベルト２０Ａと左右対称で同一の構成であるため、同一符号を付して説明を省略する。
【００２３】
首ベルト３０は、一本の帯状部材で構成されるベルト部３１と、ベルト部３１を固定するためのベルト固定具３２と、ベルト部３１に取り付けられたクッション部であるベルトクッション３３とを備えている。
【００２４】
ベルト部３１は、リュックサック１が使用者によって前持ちされた場合にその使用者の頸部の後側に掛けられる。このようにベルト部３１が使用者の頸部の後側に掛けられた状態において、使用者の頸部の右側から前方へ延びた部分をベルト部３１の右側部分３１Ａといい、同じく左側から前方へ延びた部分をベルト部３１の左側部分３１Ｂという。これらの右側部分３１Ａ及び左側部分３１Ｂはそれぞれ、後述するベルト固定具３２，３２に挿通されている。
【００２５】
ベルト部３１の右側部分３１Ａ及び左側部分３１Ｂのそれぞれの端部は、リュック本体１０の上端部の右側に形成されている開口部１４Ａ及び同じく左側に形成されている開口部１４Ｂを介して、リュック本体１０内部に設けられたベルト部収容空間に挿入される。なお、このベルト部収容空間は、上述した荷物収容空間と同一の空間であってもよく、荷物収容空間とは仕切られた別の空間であってもよい。
【００２６】
上述した開口部１４Ａ及び１４Ｂ間の距離、すなわちベルト部３１の右側部分３１Ａ及び左側部分３１Ｂ間の距離は、使用者の頸部の幅以上であることが好ましい。これにより、使用者がリュックサック１を前持ちした場合に、後述するように使用者の頸部への負担が過剰になることを防止することができる。なお、頸部の幅は使用者によって異なる点を踏まえると、ベルト部３１の右側部分３１Ａ及び左側部分３１Ｂ間の距離は、標準的な頸部の幅（例えば、１０数ｃｍ程度）以上の値に設定することなどが想定される。
【００２７】
ベルト部３１の右側部分３１Ａ及び左側部分３１Ｂの端部は、リュック本体１０内部のベルト部収容空間において紐状部材３４Ａ，３４Ｂの端部とそれぞれ連結されている。紐状部材３４Ａ，３４Ｂの他方の端部は、リュック本体１０の背面に形成されている孔部５０から外部に延出している。なお、紐状部材３４Ａ，３４Ｂは、ベルト部３１よりも幅が小さくなっており、孔部５０のサイズが小さい場合でも容易に外部に延出させることができる。
【００２８】
ベルト固定具３２，３２はそれぞれ、ベルト部３１の右側部分３１Ａ及び左側部分３１Ｂの引き出し長さを調節可能にするために、右側部分３１Ａ及び左側部分３１Ｂを挿通して止脱自在に固定する。後述するように、使用者は、ベルト固定具３２，３２を用いてベルト部３１のベルト固定具３２，３２から先の長さを調節することにより、ベルトクッション３３とリュック本体１０との距離を調節することができる。
【００２９】
ベルトクッション３３は、使用者の頸部の後側にベルト部３１が掛けられたときに当該頸部の後側と当接する部位に取り付けられている。使用者の頸部の後側の全面に当接することが可能なように、ベルトクッション３３は、使用者の頸部の幅以上の長さを有していることが好ましい。そのため、ベルトクッション３３の長さは、例えば標準的な頸部の幅以上の値に設定される。
【００３０】
リュック本体１０の背面には、２つのクッション部４０Ａ及び４０Ｂが左右に並べて設けられている。これらのクッション部４０Ａ及び４０Ｂは、使用者がリュックサック１を保持する場合にその背中又は腹部に接する領域に配置されている。なお、クッション部の数及び位置などはこれに限定されるわけではなく、例えば４つのクッション部が上下左右に並べて設けられていてもよい。
【００３１】
クッション部４０Ａ及び４０Ｂは、所定の距離離間してリュック本体１０の背面に設けられており、これらのクッション部４０Ａとクッション部４０Ｂとの間の領域が溝部４１となっている。この溝部４１に、上述した孔部５０が形成されている。また、ベルト部３１の右側部分３１Ａ及び左側部分３１Ｂのうち孔部５０から外部に延出されている部分は、溝部４１に収納される。
【００３２】
上記のとおり、ベルト部３１の右側部分３１Ａ及び左側部分３１Ｂは、紐状部材３４Ａ，３４Ｂと合わせると、リュック本体１０内部のベルト部収容空間を介して、孔部５０からリュック本体１０の外部に延出されていることになる。この延出部分（以下「下方延出部分」という）が使用者に把持されて引っ張られると、その下方延出部分の長さが大きくなる一方で、右側部分３１Ａ及び左側部分３１Ｂのうちリュック本体１０の上端部から外部に延出されている部分（以下「上方延出部分」という）の長さが小さくなり、それに伴ってベルトクッション３３とリュック本体１０との距離が小さくなる。このように、本実施の形態では、ベルト部３１の下方延出部分が操作されることによって、ベルトクッション３３とリュック本体１０との距離が調節される。
【００３３】
次に、上述したように構成されたリュックサック１の使用方法について説明する。
通常時において、使用者は、リュック本体１０を背負った状態でリュックサック１を保持する。この場合、リュック本体１０の背面に設けられているクッション部４０Ａ及び４０Ｂが使用者の背中に当接される。なお、ベルト部３１の下方延出部分は、クッション部４０Ａ及び４０Ｂ間の溝４１内に収納されているため、使用者の背中に当接することはない。そのため、ベルト部３１の下方延出部分が使用者に違和感を与えることはない。
【００３４】
使用者は、電車・バスなどに乗車した場合、他の乗客の迷惑になることを回避するために、リュック本体１０を背負った状態から前持ちに切り替える。このとき、使用者は、首ベルト３０のベルトクッション３３を把時してベルト部３１を適宜引き出した上で、ベルト固定具３２，３２によってベルト部３１を固定することにより、ベルトクッション３３とリュック本体１０との距離を調節する。なお、ベルト部３１を引き出した結果ベルト部３１の上方延出部分が長くなりすぎた場合、使用者は、ベルト部３１の下方延出部分を把持して引っ張ることによって上方延出部分の長さを調節し、ベルトクッション３３とリュック本体１０との距離を適切なものとする。このようにしてベルトクッション３３とリュック本体１０との距離の調節が行われた後、使用者は、リュック本体１０を腹側に位置させ、ベルト部３１を頸部の後側に掛ける。その結果、リュックサック１が前持ち状態となる。
【００３５】
図４は、使用者が前持ちをしている状態におけるリュックサック１の構成を示す正面図であり、図５は、その右側面図である。図４及び図５に示すように、使用者１００の頸部１０１の後側には、ベルトクッション３３が当接した状態でベルト部３１が掛けられている。他方、肩ベルト２０Ａ及び２０Ｂは、使用者１００の両肩に掛けられることはなく、リュック本体１０と使用者１００の腹部との間に配置される。そのため、本実施の形態の場合、肩ベルト２０Ａ及び２０Ｂの長さと、前持ち状態におけるリュック本体１０の上下方向における位置とは関係しない。したがって、肩ベルト２０Ａ及び２０Ｂがリュック本体１０を背負ったときに合わせた長さとなっている場合でも、特段の問題が生じることはない。
【００３６】
なお、上記のとおり肩ベルト２０Ａ及び２０Ｂを両肩に掛けずに前持ちを行う場合、肩ベルト２０Ａ及び２０Ｂを掛ける場合と比べて、両腕をより自由に動かすことが可能になるというメリットも生じる。
【００３７】
また、本実施の形態の場合、ベルト部３１の右側部分３１Ａ及び左側部分３１Ｂ間の距離は、使用者１００の頸部１０１の幅以上に保たれている。そのため、前持ち状態において、ベルト部３１の右側部分３１Ａと左側部分３１Ｂとが近接することによって使用者１００の頸部１０１が締め付けられるような事態は発生せず、頸部１０１の負担が過剰になることを防止することができる。
【００３８】
また、ベルトクッション３３が、使用者１００の頸部１０１の幅以上の長さを有しているため、前持ち状態において、頸部１０１の後側の全面がベルトクッション３３によって保護される。そのため、頸部１０１の負担を抑制することができる。
【００３９】
上記のようにして前持ちが行われた後、使用者が降車するなどして前持ちの必要がなくなった場合、使用者は、ベルト部３１を頸部１０１から取り外し、再度リュック本体１０を背負う。このとき、使用者は、ベルト固定具３２，３２によるベルト部３１の固定を解除した上で、ベルト部３１の下方延出部分を把持して引っ張る。これにより、ベルト部３１の上方延出部分を短くすることができるため、リュック本体１０を背負っているときにベルト部３１が邪魔になるような事態を回避することができる。
【００４０】
図６は、上記のようにベルト部３１の上方延出部分が短く調整された場合のリュックサック１の構成を示す正面図である。この場合、使用者がベルトクッション３３を把持してリュックサック１を保持することによって、手提げ状態にすることもできる。
【００４１】
なお、上記では、前持ちを行う直前にベルト部３１の上方延出部分の長さを調節してベルトクッション３３とリュック本体１０との距離を調節し、その後に前持ちの必要がなくなったときにベルト部３１の上方延出部分の長さを元に戻しているが、使用方法はこれに限定されるわけではない。例えば、前持ち状態のときにリュック本体１０が適切な高さに位置するようにベルトクッション３３とリュック本体１０との距離を調節した後は、リュック本体１０を背負う場合でも前持ちを行う場合でも特に当該距離を調節することなくリュックサック１を使用するようにしてもよい。その場合でも、ベルト部３１の上方延出部分が極端に長くなるようなことはないため、特段の問題が生じることはない。
【００４２】
以上のとおり、本実施の形態では、首ベルト３０が、ベルトクッション３３とリュック本体１０との距離、すなわち前持ち状態における使用者の頸部の後側との当接部位とリュック本体１０との距離が調節可能となるように構成されている。そのため、前持ち状態におけるリュック本体１０の高さを容易に調節することができる。
【００４３】
（その他の実施の形態）
上述した実施の形態では、ベルト部３１の下方延出部分を引っ張ることによってベルト部３１の上方延出部分を短くしているが、他の構成を採用することも可能である。例えば、リュック本体１０の内部にベルト部３１を巻き取り可能な巻き取り部を設け、この巻き取り部がベルト部３１を巻き取ることによってベルト部３１の上方延出部分を短くするようにしてもよい。
【００４４】
図７は、上記のような巻き取り部を備える首ベルト３０の構成の一例を示す正面図である。図７に示すように、首ベルト３０は、ベルト部３１の右側部分３１Ａ及び左側部分３１Ｂのそれぞれの巻き取り及び送り出しを行う巻き取り部３５，３５を備えている。なお、その他の構成については上記の実施の形態と同様であるため、同一符号を付して説明を省略する。また、ベルト部３１の右側部分３１Ａに係る巻き取り部３５と左側部分３１Ｂに係る巻き取り部３５とは同一の構成となっているため、以下では、ベルト部３１の右側部分３１Ａに係る巻き取り部３５の構成のみについて説明する。
【００４５】
巻き取り部３５は、公知の巻尺と同様の構成を有している。より具体的に説明すると、巻き取り部３５は、ベルト部３１の右側部分３１Ａの端部が接続された巻き取り軸（図示せず）を備えており、この巻き取り軸が巻き取り方向に回転することによって右側部分３１Ａを内部に巻き取る一方、送り出し方向に回転することによって右側部分３１Ａを外部へ送り出すことができるように構成されている。巻き取り軸には右側部分３１Ａを巻き取り方向に回転するように付勢する巻き取りバネが取り付けられており、この巻き取りバネの作用によって右側部分３１Ａが自動的に巻き取られる。他方、使用者が右側部分３１Ａを引っ張ることによって右側部分３１Ａは巻き取りバネに抗して外部へ送り出される。
【００４６】
なお、巻き取り部３５が公知のロック機構を備えることによって、巻き取られた又は送り出された右側部分３１Ａの長さを固定するようにしてもよい。このロック機構は、２つの巻き取り部３５，３５のそれぞれに対して別々に設けられていてもよく、２つの巻き取り部３５，３５が１つのロック機構を共有する構成であってもよい。この共有する構成の場合、１つのロック機構を作用させることによって巻き取り部３５，３５の両方においてベルト部３１がロックされ、その結果、ベルト部３１の右側部分３１Ａ及び左側部分３１Ｂの両方の長さが固定されることになる。
【００４７】
図８は、上記の首ベルト３０を備えるリュックサックの構成を示す正面図である。図８に示すように、首ベルト３０の巻き取り部３５，３５は、リュック本体１０の内部に設けられた巻き取り部収容空間に設けられている。なお、この巻き取り部収容空間は、上述した荷物収容空間と同一の空間であってもよく、荷物収容空間とは仕切られた別の空間であってもよい。
【００４８】
なお、上記では巻き取り部３５，３５がリュック本体１０の内部に設けられているが、例えばリュック本体１０の上端の外面上など、リュック本体１０の外部に設けられていてもよい。また、リュックサック１がリュック本体１０とは別体の収容部をリュック本体１０の上端などに備え、その収容部に巻き取り部３５，３５が収容されていてもよい。
【００４９】
また、上記では２つの巻き取り部３５，３５がそれぞれ独立して機能しているが、これらが連動するような構成であってもよい。より具体的には、一方の巻き取り部３５がベルト部３０の巻き取りを行う場合はそれと連動して他方の巻き取り部３５も同じく巻き取りを行い、一方の巻き取り部３５がベルト部３０の送り出しを行う場合はそれと連動して他方の巻き取り部３５も同じく送り出しを行うような構成であってもよい。この構成でも上記と同様のロック機構を備えることが可能である。その場合、１つのロック機構で、ベルト部３１の右側部分３１Ａ及び左側部分３１Ｂの両方の長さを固定することができ、便宜である。
【００５０】
なお、上記のように巻き取り部３５がロック機構を備える構成の場合、そのロック機構を操作する操作部は、リュック本体１０の外部に露出して設けられることが好ましい。これにより、使用者は容易に操作部を操作することができるため、ベルト部３１の右側部分３１Ａ及び左側部分３１Ｂの長さ調節が容易になる。
【００５１】
上記のように構成されたリュックサック１の場合、首ベルト３０の巻き取り部３５，３５によりベルト部３１の右側部分３１Ａ及び左側部分３１Ｂの巻き取り及び送り出しが行われることによって、ベルトクッション３３とリュック本体１０との距離が調節可能となる。この場合に、ベルト部３１の右側部分３１Ａ及び左側部分３１Ｂは自動的に巻き取られるため、当該距離を容易に調節することができる。
【産業上の利用可能性】
【００５２】
本発明のリュックサックは、公共の交通機関などで用いられるリュックサックなどとして有用である。
【符号の説明】
【００５３】
１  リュックサック
１０  リュック本体
１１  収容部
１２，１３  ファスナー
１４Ａ，１４Ｂ  開口部
２０Ａ，２０Ｂ  肩ベルト
２１  上部ベルト部
２２  下部ベルト部
２３  調節部材
３０  首ベルト
３１  ベルト部
３１Ａ  右側部分
３１Ｂ  左側部分
３２  ベルト固定具
３３  ベルトクッション
３４Ａ，３４Ｂ  紐状部材
４０Ａ，４０Ｂ  クッション部
４１  溝部
５０  孔部
１００  使用者
１０１  頸部
【図１】
2020124465.tif 000003
【図２】
2020124465.tif 000004
【図３】
2020124465.tif 000005
【図４】
2020124465.tif 000006
【図５】
2020124465.tif 000007
【図６】
2020124465.tif 000008
【図７】
2020124465.tif 000009
【図８】
2020124465.tif 000010